(57)【特許請求の範囲】
【請求項１】
印刷設定において、ページ画像の先頭が三つ折り後の外側端部に位置するか内側端部に位置するかを示す折り順序設定の値に応じて前記ページ画像を回転させる画像処理部と、
前記ページ画像、および前記画像処理部による回転後の前記ページ画像のいずれかを印刷させるコントローラーと、
前記ページ画像を印刷された印刷用紙に対して三つ折りを実行する折り処理部と、
を備え、
前記折り処理部は、同時に三つ折りを実行可能な上限枚数ごとに、前記印刷用紙を分冊していき、
前記コントローラーは、前記印刷用紙の種別に応じて、前記上限枚数を変更し、分冊内の先頭の前記印刷用紙から最後の前記印刷用紙まで、順番に前記印刷用紙の種別を特定していき、分冊内の先頭から各時点までのそれぞれの前記印刷用紙の種別に対応する前記上限枚数のうちの最も少ない値を、前記折り処理部の前記上限枚数にセットしていくこと、
を特徴とする画像形成装置。
【請求項２】
前記画像処理部は、前記折り順序設定の値が三つ折り後の外側端部に位置することを示す値の場合と前記折り順序設定の値が三つ折り後の内側端部に位置することを示す値の場合とで、前記ページ画像の向きが１８０度異なるように、前記ページ画像を回転させることを特徴とする請求項１記載の画像形成装置。
【請求項３】
前記コントローラーは、前記印刷設定において、先頭ページのページ画像が三つ折り後の外側に印刷されるか内側に印刷されるかを示す印刷面設定の値に応じた両面印刷設定で前記ページ画像を印刷させることを特徴とする請求項１記載の画像形成装置。
【請求項４】
前記コントローラーは、前記印刷面設定の値が、前記先頭ページのページ画像が三つ折り後の外側に印刷されることを示す第１値および内側に印刷されることを示す第２値のうちの一方である場合には、片面印刷設定で、または両面印刷におけるおもて面への印刷の設定で、前記先頭ページのページ画像を印刷させ、前記印刷面設定の値が、前記第１値および前記第２値のうちの他方である場合には、両面印刷における裏面への印刷の設定で、前記先頭ページのページ画像を印刷させることを特徴とする請求項３記載の画像形成装置。
【請求項５】
前記コントローラーは、複数部数を印刷する場合、前記上限枚数ごとに分冊していくとともに、各部の終わりごとに分冊していくことを特徴とする請求項１記載の画像形成装置。
【請求項６】
前記コントローラーは、分冊内の印刷用紙の枚数の設定が存在し、当該枚数が前記上限枚数より多い場合、前記上限枚数ごとに分冊していくとともに、前記分冊内の印刷用紙の枚数の終了ごとにも分冊していくことを特徴とする請求項１記載の画像形成装置。
【請求項７】
前記コントローラーは、先頭ページのページ画像が三つ折り後の外側に印刷されるか内側に印刷されるかを示す印刷面設定の値が、先頭ページのページ画像が三つ折り後の外側に印刷されることを示す値である場合、分冊内の最終ページから逆順に、前記ページ画像を印刷させていくことを特徴とする請求項１記載の画像形成装置。
【請求項８】
前記コントローラーは、前記最も少ない値を折り処理部の上限枚数にセットしたときに、分冊内の印刷枚数が既に前記最も少ない値以上である場合には、ただちに分冊を形成することを特徴とする請求項１記載の画像形成装置。
【請求項９】
ページ画像を印刷された印刷用紙に対して三つ折りを実行する折り処理部を有する画像形成装置内のコンピューターを、
印刷設定において、前記ページ画像の先頭が三つ折り後の外側端部に位置するか内側端部に位置するかを示す折り順序設定の値に応じて前記ページ画像を回転させる画像処理部、および
前記ページ画像、および前記画像処理部による回転後の前記ページ画像のいずれかを印刷させるコントローラー、
として機能させ、
前記折り処理部は、同時に三つ折りを実行可能な上限枚数ごとに、前記印刷用紙を分冊していき、
前記コントローラーは、前記印刷用紙の種別に応じて、前記上限枚数を変更し、分冊内の先頭の前記印刷用紙から最後の前記印刷用紙まで、順番に前記印刷用紙の種別を特定していき、分冊内の先頭から各時点までのそれぞれの前記印刷用紙の種別に対応する前記上限枚数のうちの最も少ない値を、前記折り処理部の前記上限枚数にセットしていくこと、
を特徴とする画像形成プログラム。
【請求項１０】
前記コントローラーは、前記最も少ない値を折り処理部の上限枚数にセットしたときに、分冊内の印刷枚数が既に前記最も少ない値以上である場合には、ただちに分冊を形成することを特徴とする請求項９記載の画像形成プログラム。
【発明の詳細な説明】
【技術分野】
【０００１】
本発明は、画像形成装置および画像形成プログラムに関するものである。
【背景技術】
【０００２】
プリンター、複写機、複合機などの画像形成装置には、印刷後の印刷用紙に対して各種加工を施す仕上げ機能を有するものがある。仕上げ機能の１つとして、二つ折り、三つ折りなどの折り機能がある（例えば、特許文献１，２参照）。特許文献１には、三つ折り機能を有する画像形成装置が開示されており、特許文献２には、三つ折り機能を有する画像形成装置およびその画像形成装置用のドライバーが開示されている。
【０００３】
特許文献１に記載の画像形成装置では、内三つ折り（Ｃ折り）の場合、先頭ページの印刷面が三つ折りの後の外側か内側かに応じてページ画像の回転角度を変えたり、印刷用紙の向きを反転させてから折りを実行したりしている。
【先行技術文献】
【特許文献】
【０００４】
【特許文献１】特開２００４−２３５７２０号公報
【特許文献２】特開２０１０−０２０６９１号公報
【発明の概要】
【発明が解決しようとする課題】
【０００５】
しかしながら、上述の画像形成装置では、ページ画像の先頭（ポートレートの場合には上端、ランドスケープの場合には左端）が、三つ折り後の外側端部（折りにより外側に露出する用紙端部）に位置するか、三つ折り後の内側端部（折りにより内側に入り込む用紙端部）に位置するかを制御することは困難である。
【０００６】
本発明は、上記の問題に鑑みてなされたものであり、ページ画像の先頭が、三つ折り後の外側端部に位置するか、三つ折り後の内側端部に位置するかを制御することが可能な画像形成装置および画像形成プログラムを得ることを目的とする。
【課題を解決するための手段】
【０００７】
上記の課題を解決するために、本発明では以下のようにした。
【０００８】
本発明に係る画像形成装置は、印刷設定において、ページ画像の先頭が三つ折り後の外側端部に位置するか内側端部に位置するかを示す折り順序設定の値に応じてページ画像を回転させる画像処理部と、ページ画像、および画像処理部による回転後のページ画像のいずれかを印刷させるコントローラーと、ページ画像を印刷された印刷用紙に対して三つ折りを実行する折り処理部とを備える。折り処理部は、同時に三つ折りを実行可能な上限枚数ごとに、印刷用紙を分冊していく。コントローラーは、印刷用紙の種別に応じて、上限枚数を変更し、分冊内の先頭の印刷用紙から最後の印刷用紙まで、順番に印刷用紙の種別を特定していき、分冊内の先頭から各時点までのそれぞれの印刷用紙の種別に対応する上限枚数のうちの最も少ない値を、折り処理部の上限枚数にセットしていく。
【０００９】
これにより、印刷設定に基づいて、ページ画像の先頭が三つ折り後の外側端部に位置するか三つ折り後の内側端部に位置するかを制御することができる。また、印刷用紙の厚さ、重さ、硬さなどに応じて、適切な枚数で分冊を形成することができる。さらに、複数種別の印刷用紙が混在して使用されても、適切な枚数で分冊を形成することができる。
【００１０】
また、本発明に係る画像形成装置は、上記の画像形成装置に加え、次のようにしてもよい。この場合、画像処理部は、折り順序設定の値が三つ折り後の外側端部に位置することを示す値の場合と折り順序設定の値が三つ折り後の内側端部に位置することを示す値の場合とで、ページ画像の向きが１８０度異なるように、ページ画像を回転させる。
【００１１】
また、本発明に係る画像形成装置は、上記の画像形成装置に加え、次のようにしてもよい。この場合、コントローラーは、印刷設定において、先頭ページのページ画像が三つ折り後の外側に印刷されるか内側に印刷されるかを示す印刷面設定の値に応じた両面印刷設定でページ画像を印刷させる。
【００１２】
これにより、印刷面設定の値に応じて印刷済みの印刷用紙を反転させる機能を新たに設けることなく、既存の両面印刷機能を使用して、先頭ページのページ画像が三つ折り後の外側に印刷されるか内側に印刷されるかを制御することができる。
【００１３】
また、本発明に係る画像形成装置は、上記の画像形成装置に加え、次のようにしてもよい。この場合、コントローラーは、印刷面設定の値が、先頭ページのページ画像が三つ折り後の外側に印刷されることを示す第１値および内側に印刷されることを示す第２値のうちの一方である場合には、片面印刷設定で、または両面印刷におけるおもて面への印刷の設定で、先頭ページのページ画像を印刷させ、印刷面設定の値が、第１値および第２値のうちの他方である場合には、両面印刷における裏面への印刷の設定で、先頭ページのページ画像を印刷させる。
【００１５】
また、本発明に係る画像形成装置は、上記の画像形成装置に加え、次のようにしてもよい。この場合、コントローラーは、複数部数を印刷する場合、上述の上限枚数ごとに分冊していくとともに、各部の終わりごとに分冊していく。
【００１６】
また、本発明に係る画像形成装置は、上記の画像形成装置に加え、次のようにしてもよい。この場合、コントローラーは、分冊内の印刷用紙の枚数の設定が存在し、当該枚数が上述の上限枚数より多い場合、上述の上限枚数ごとに分冊していくとともに、その分冊内の印刷用紙の枚数の終了ごとにも分冊していく。
【００２０】
また、本発明に係る画像形成装置は、上記の画像形成装置に加え、次のようにしてもよい。この場合、コントローラーは、上述の最も少ない値を折り処理部の上限枚数にセットしたときに、分冊内の印刷枚数が既に上述の最も少ない値以上である場合には、ただちに分冊を形成する。
【００２１】
また、本発明に係る画像形成装置は、上記の画像形成装置に加え、次のようにしてもよい。この場合、コントローラーは、先頭ページのページ画像が三つ折り後の外側に印刷されるか内側に印刷されるかを示す印刷面設定の値が、先頭ページのページ画像が三つ折り後の外側に印刷されることを示す値である場合、分冊内の最終ページから逆順に、ページ画像を印刷させていく。
【００２２】
本発明に係る画像形成プログラムは、ページ画像を印刷された印刷用紙に対して三つ折りを実行する折り処理部を有する画像形成装置内のコンピューターを、印刷設定において、ページ画像の先頭が三つ折り後の外側端部に位置するか内側端部に位置するかを示す折り順序設定の値に応じてページ画像を回転させる画像処理部、およびページ画像、および画像処理部による回転後のページ画像のいずれかを印刷させるコントローラーとして機能させる。折り処理部は、同時に三つ折りを実行可能な上限枚数ごとに、印刷用紙を分冊していく。コントローラーは、印刷用紙の種別に応じて、上限枚数を変更し、分冊内の先頭の印刷用紙から最後の印刷用紙まで、順番に印刷用紙の種別を特定していき、分冊内の先頭から各時点までのそれぞれの印刷用紙の種別に対応する上限枚数のうちの最も少ない値を、折り処理部の上限枚数にセットしていく。これにより、印刷設定に基づいて、ページ画像の先頭が三つ折り後の外側端部に位置するか三つ折り後の内側端部に位置するかを制御することができる。
【００２３】
また、本発明に係る画像形成プログラムは、上記の画像形成プログラムに加え、次のようにしてもよい。この場合、コントローラーは、上述の最も少ない値を折り処理部の上限枚数にセットしたときに、分冊内の印刷枚数が既に上述の最も少ない値以上である場合には、ただちに分冊を形成する。
【発明の効果】
【００２４】
本発明によれば、画像形成装置において、ページ画像の先頭が三つ折り後の外側端部に位置するか三つ折り後の内側端部に位置するかを制御することができる。
【図面の簡単な説明】
【００２５】
【図１】図１は、本発明の実施の形態に係る画像形成装置の機械的な内部構成の一部を示す側面図である。
【図２】図２は、本発明の実施の形態に係る画像形成装置の電気的な構成の一部を示すブロック図である。
【図３】図３は、操作パネルの折り機能の設定画面の一例を示す図である。
【図４】図４は、操作パネルの折り機能の設定画面の他の例を示す図である。
【図５】図５は、実施の形態１に係る画像形成装置における、画像向きおよび印刷設定と、画像処理（回転角度）および両面印刷設定との対応関係を示す図である。
【図６】図６は、実施の形態１に係る画像形成装置における、三つ折り時のページ画像の配置について説明する図である。
【図７】図７は、実施の形態２における分冊機能を説明する図である。
【図８】図８は、実施の形態２において、同時に三つ折り可能な上限枚数が原稿のページ数より少ない場合の分冊パターンについて説明する図である。
【図９】図９は、実施の形態２において、同時に三つ折り可能な上限枚数が分冊枚数より少ない場合の分冊パターンについて説明する図である。
【図１０】図１０は、実施の形態３において、印刷面設定が「内側」である場合の、ページ画像の印刷順番を説明する図である。
【図１１】図１１は、実施の形態３において、印刷面設定が「外側」である場合の、ページ画像の印刷順番を説明する図である。
【発明を実施するための形態】
【００２６】
以下、図に基づいて本発明の実施の形態を説明する。
【００２７】
実施の形態１．
【００２８】
図１は、本発明の実施の形態に係る画像形成装置の機械的な内部構成の一部を示す側面図である。この画像形成装置は、プリンター、ファクシミリ装置、複写機、複合機などといった印刷機能を有する装置である。また、この画像形成装置は、三つ折りの仕上げ機能および両面印刷機能を有する。
【００２９】
この実施の形態の画像形成装置は、タンデム方式のカラー現像装置を有する。このカラー現像装置は、感光体ドラム１ａ〜１ｄ、露光装置２および現像ユニット３ａ〜３ｄを有する。感光体ドラム１ａ〜１ｄは、シアン、マゼンタ、イエローおよびブラックの４色の感光体である。
【００３０】
露光装置２は、感光体ドラム１ａ〜１ｄへレーザー光を走査しつつ照射して静電潜像を形成する装置である。レーザー光は、感光体ドラム１ａ〜１ｄの回転方向（副走査方向）に垂直な方向（主走査方向）に走査される。露光装置２は、レーザー光の光源であるレーザーダイオード、およびそのレーザー光を感光体ドラム１ａ〜１ｄへ導く光学素子（レンズ、ミラー、ポリゴンミラーなど）を含むレーザースキャニングユニットを有する。
【００３１】
さらに、感光体ドラム１ａ〜１ｄの周囲には、スコロトロン等の帯電器、クリーニング装置、除電器などが配置されている。クリーニング装置は、１次転写後に、感光体ドラム１ａ〜１ｄ上の残留トナーを除去し、除電器は、１次転写後に、感光体ドラム１ａ〜１ｄを除電する。
【００３２】
現像ユニット３ａ〜３ｄは、シアン、マゼンタ、イエローおよびブラックの４色のトナーがそれぞれ充填されるトナーカートリッジと、トナーカートリッジ内のトナーホッパーから搬送されてくるトナーを感光体ドラム１ａ〜１ｄへ付着させる現像器とを有し、そのトナーを感光体ドラム１ａ〜１ｄ上の静電潜像に付着させてトナー画像を形成する。
【００３３】
感光体ドラム１ａおよび現像ユニット３ａにより、マゼンタの現像が行われ、感光体ドラム１ｂおよび現像ユニット３ｂにより、シアンの現像が行われ、感光体ドラム１ｃおよび現像ユニット３ｃにより、イエローの現像が行われ、感光体ドラム１ｄおよび現像ユニット３ｄにより、ブラックの現像が行われる。
【００３４】
中間転写ベルト４は、感光体ドラム１ａ〜１ｄに接触し、感光体ドラム１ａ〜１ｄ上のトナー画像を１次転写される環状の像担持体（中間転写体）である。中間転写ベルト４は、駆動ローラー５に張架され、駆動ローラー５からの駆動力によって、感光体ドラム１ｄとの接触位置から感光体ドラム１ａとの接触位置への方向へ周回していく。
【００３５】
転写ローラー６は、搬送されてくる用紙を中間転写ベルト４に接触させ、中間転写ベルト４上のトナー画像を用紙に２次転写する。なお、トナー画像を転写された用紙は、定着器９へ搬送され、トナー画像が用紙へ定着される。
【００３６】
ローラー７は、クリーニングブラシを有し、クリーニングブラシを中間転写ベルト４に接触させ、用紙へのトナー画像の転写後に中間転写ベルト４に残ったトナーを除去する。
【００３７】
センサー８は、中間転写ベルト４に光線を照射し、中間転写ベルト４の表面またはその表面上のトナーパターンからの反射光を検出する。例えば、センサー８は、トナー濃度調整の際に、中間転写ベルト４の所定の領域に光線を照射し光線の反射光を検出し、その光量に応じた電気信号を出力する。
【００３８】
用紙反転部１０は、両面印刷時に一方の面の印刷後に印刷用紙を反転させて他方の面に印刷可能にして給紙する機構である。
【００３９】
折り処理部１１は、印刷後の印刷用紙に対して二つ折り、三つ折りなどの折りを実行する機構である。
【００４０】
図２は、本発明の実施の形態に係る画像形成装置の電気的な構成の一部を示すブロック図である。図２に示すように、この画像形成装置は、通信装置２１、操作パネル２２、印刷装置２３、画像読取装置２４、記憶装置２５、および演算処理装置２６を備える。
【００４１】
通信装置２１は、ネットワークや周辺機器インターフェースを介してホスト装置に接続可能であって、所定の通信プロトコルでデータ通信を行う装置である。
【００４２】
また、操作パネル２２は、液晶ディスプレイなどの表示装置、およびタッチパネルなどの入力装置を備え、ユーザーに対する操作画面の表示およびユーザー操作の検出を行う。
【００４３】
また、印刷装置２３は、図１に示すような機械的構成で原稿画像を印刷する内部デバイスである。
【００４４】
また、画像読取装置２４は、原稿から原稿画像を光学的に読み取り、原稿画像の画像データを生成する内部デバイスである。
【００４５】
また、記憶装置２５は、ハードディスク、不揮発性メモリーなどといった不揮発性の記憶装置であって、プログラム２５ａを記憶している。また、記憶装置２５は、プログラム２５ａが記憶されたＣＤ−ＲＯＭなどの可搬性のある記録媒体と、その記録媒体からプログラム２５ａを読み出すことが可能な駆動装置とで構成されていてもよい。
【００４６】
また、演算処理装置２６は、ＣＰＵ（Central Processing Unit）、ＲＯＭ（Read Only Memory）、ＲＡＭ（Random Access Memory）などを有するコンピューターであり、記憶装置２５のプログラム２５ａ、ＲＯＭのプログラムなどをＲＡＭへロードし、そのプログラムをＣＰＵで実行することにより、各種処理部を実現する。
【００４７】
画像形成装置の起動後に、各種プログラムが演算処理装置２６により適宜実行される。この実施の形態では、演算処理装置２５によりプログラム２５ａが実行されることで、通信処理部３１、要求処理部３２、画像処理部３３、コントローラー３４などの処理部が実現される。
【００４８】
通信処理部３１は、通信装置２１を制御してホスト装置などとデータ通信を実行する処理部である。例えば、通信処理部３１は、ホスト装置から印刷要求としての原稿データを受信する。
【００４９】
また、要求処理部３２は、操作パネル２２に対するユーザー操作に基づく印刷要求やホスト装置から供給される印刷要求、コピー要求などを受け付け、その要求に応じた印刷ジョブを実行させる。
【００５０】
例えば、ホスト装置から、ＰＤＬ（Page Description Language）、ＰＤＦ（Portable Document Format）などの所定のデータ形式の原稿データが印刷要求として受信されると、要求処理部３２は、その原稿データから画像データを生成する。この画像データは、ビットマップデータであり、ホスト装置からビットマップデータの原稿データが受信されると、要求処理部３２は、その原稿データをそのまま画像データとする。この画像データは、原稿における１または複数のページ画像の画像データを含んでいる。
【００５１】
また、要求処理部３２は、操作パネル２２に対するユーザー操作によるコピー要求を受け付けると、画像読取装置２４により読み取られた原稿画像の画像データを取得する。
【００５２】
印刷時に適用される印刷設定は、ホスト装置から供給される印刷要求、操作パネル２２に対するユーザー操作などで指定される。
【００５３】
また、画像処理部３３は、その画像データに対して所定の画像処理を実行し、印刷データ（例えば色ごとに２値化された印刷画像データ）を生成する。
【００５４】
画像処理部３３は、印刷設定において、ページ画像の先頭が三つ折り後の外側端部に位置するか内側端部に位置するかを示す折り順序設定の値に応じて画像データ内の各ページ画像を回転させる。この実施の形態１では、画像処理部３３は、折り順序設定の値が三つ折り後の外側端部に位置することを示す値の場合と折り順序設定の値が三つ折り後の内側端部に位置することを示す値の場合とで、ページ画像の向きが１８０度異なるように、ページ画像を回転させる。
【００５５】
また、コントローラー３４は、印刷装置２３などの内部デバイスを監視および制御する処理部である。コントローラー３４は、上述のローラーなどを駆動する図示せぬ駆動源、現像バイアスおよび１次転写バイアスを印加するバイアス印加回路、並びに露光装置２を制御して、トナー画像の現像、転写および定着、並びに給紙、印刷および排紙を実行させる処理回路である。現像バイアスは、感光体ドラム１ａ〜１ｄと現像ユニット３ａ〜３ｄとの間にそれぞれ印加され、１次転写バイアスは、感光体ドラム１ａ〜１ｄと中間転写ベルト４との間にそれぞれ印加される。特に、コントローラー２４は、上述のトナー搬送部を動作させる駆動装置を制御し、現像ユニット３ａ〜３ｄにおけるトナー搬送を制御している。
【００５６】
コントローラー３４は、印刷装置２３を制御して、画像データによる各ページ画像、および画像処理部３３による回転後の各ページ画像のいずれかを印刷させる。
【００５７】
この実施の形態１では、コントローラー３４は、印刷設定において、先頭ページのページ画像が三つ折り後の外側に印刷されるか内側に印刷されるかを示す印刷面設定の値に応じた両面印刷設定でページ画像を印刷させる。
【００５８】
また、この実施の形態１では、コントローラー３４は、印刷面設定の値が、先頭ページのページ画像が三つ折り後の外側に印刷されることを示す第１値および内側に印刷されることを示す第２値のうちの一方である場合には、片面印刷設定で、または両面印刷におけるおもて面への印刷の設定で、先頭ページのページ画像を印刷させ、印刷面設定の値が、第１値および第２値のうちの他方である場合には、両面印刷における裏面への印刷の設定で、先頭ページのページ画像を印刷させる。
【００５９】
次に、上記画像形成装置の動作について説明する。
【００６０】
まず、操作パネル２２に対するユーザー操作による折り機能に関する印刷設定について説明する。
【００６１】
折り機能の設定画面を表示させるユーザー操作が検出されると、要求処理部３２は、操作パネル２２に、折り機能の設定画面を表示させる。図３は、操作パネル２２の折り機能の設定画面の一例を示す図である。図４は、操作パネル２２の折り機能の設定画面の他の例を示す図である。
【００６２】
図３に示すように、この設定画面では、折り機能のオフ、二つ折り、および三つ折りのボタンが表示され、三つ折りのボタン６１が押下されると、その操作が操作パネル２２により検出され、印刷面設定および折り順序設定の画面が図３に示すように表示される。
【００６３】
そして、印刷面設定の値が、ボタン６２，６３に対するユーザー操作に従って決定される。
【００６４】
ボタン６２が押下され、印刷面設定の値として、先頭ページのページ画像が三つ折り後の内側に印刷されることを示す値が選択されると、図３に示すような折りの順序を説明する画像と、折りの順序を選択するためのボタン６４，６５が表示される。
【００６５】
一方、ボタン６３が押下され、印刷面設定の値として、先頭ページのページ画像が三つ折り後の外側に印刷されることを示す値が選択されると、図４に示すような折りの順序を説明する画像と、折りの順序を選択するためのボタン６４，６５が表示される。
【００６６】
そして、折り順序設定の値（先頭ページのページ画像の先頭が三つ折り後の外側端部に位置することを示す値、または内側端部に位置することを示す値）が、ボタン６４，６５に対するユーザー操作に従って決定される。
【００６７】
このようにして、印刷設定のうちの印刷面設定および折り順序設定の値が決定される。
【００６８】
そして、要求処理部３２は、印刷要求、コピー要求などを受け付けると、その時点で設定されている印刷面設定および折り順序設定の値に従って、画像処理部３３およびコントローラー３４に対して、画像回転設定および両面印刷設定を行う。
【００６９】
図５は、実施の形態１に係る画像形成装置における、画像向きおよび印刷設定と、画像処理（回転角度）および両面印刷設定との対応関係を示す図である。
【００７０】
図５に示すように、要求処理部３２は、画像向きおよび印刷設定（印刷面設定および折り順序設定の値）に対応する、画像回転設定（回転の有無、および回転角）並びに両面印刷設定の値を特定し、その画像回転設定の値を画像処理部３３に供給し、その両面印刷設定の値をコントローラー３４に適用する。
【００７１】
画像処理部３３は、その画像回転設定に従って、画像回転を行うか否か、および画像回転を行う場合の回転角度を特定し、画像回転を行う場合には、その回転角度だけページ画像を回転させた画像データを生成する。
【００７２】
そして、コントローラー３４は、画像処理部３３による処理後の画像データに基づいて、図５に示す両面印刷設定で印刷を実行する。
【００７３】
これにより、印刷面設定および折り順序設定に従った印刷物が得られる。
【００７４】
図６は、実施の形態１に係る画像形成装置における、三つ折り時のページ画像の配置について説明する図である。図６（Ａ）は、ポートレートのページ画像の一例を示す図である。図６（Ｂ）は、印刷面設定の値が「内側」であり、折り順序設定の値が「下から上へ」である場合の、図６（Ａ）のページ画像を印刷された印刷物の一例を示す図である。なお、図６（Ｂ）では、説明のために、文字部分を透視させて描画している。図６（Ｃ）は、印刷面設定の値が「内側」であり、折り順序設定の値が「上から下へ」である場合の、図６（Ａ）のページ画像を印刷された印刷物の一例を示す図である。なお、図６（Ｃ）では、説明のために、文字部分を透視させて描画している。図６（Ｄ）は、印刷面設定の値が「外側」であり、折り順序設定の値が「下から上へ」である場合の、図６（Ａ）のページ画像を印刷された印刷物の一例を示す図である。図６（Ｅ）は、印刷面設定の値が「外側」であり、折り順序設定の値が「上から下へ」である場合の、図６（Ａ）のページ画像を印刷された印刷物の一例を示す図である。
【００７５】
以上のように、上記実施の形態１によれば、画像処理部３３は、印刷設定において、ページ画像の先頭が三つ折り後の外側端部に位置するか内側端部に位置するかを示す折り順序設定の値に応じてページ画像を回転させる。コントローラー３４は、ページ画像、および画像処理部３３による回転後のページ画像のいずれかを印刷させる。そして、折り処理部１１は、ページ画像を印刷された印刷用紙に対して三つ折りを実行する。
【００７６】
これにより、印刷設定に基づいて、ページ画像の先頭が三つ折り後の外側端部に位置するか三つ折り後の内側端部に位置するかを制御することができる。
【００７７】
実施の形態２．
【００７８】
本発明の実施の形態２に係る画像形成装置は、実施の形態１に係る画像形成装置に分冊機能を加えたものである。なお、実施の形態２に係る画像形成装置の基本的な構成および動作は実施の形態１の場合と同様である。
【００７９】
実施の形態２では、コントローラー３４は、分冊設定に従って折り処理部１１を制御して、分冊を形成していく。分冊設定には、分冊のオン／オフ、分冊枚数（各分冊内の印刷用紙枚数）などがある。
【００８０】
図７は、実施の形態２における分冊機能を説明する図である。図８は、実施の形態２において、同時に三つ折り可能な上限枚数が原稿のページ数より少ない場合の分冊パターンについて説明する図である。図９は、実施の形態２において、同時に三つ折り可能な上限枚数が分冊枚数より少ない場合の分冊パターンについて説明する図である。
【００８１】
分冊設定がオフの場合、原稿ページ数が、折り処理部１１により同時に三つ折り可能な上限枚数以下であれば、図７（Ａ）に示すように、各部がまとめて三つ折りされて分冊が形成される。
【００８２】
分冊設定がオンの場合、指定された分冊枚数ごとに分冊が形成される。分冊枚数が１である場合、図７（Ｂ）に示すように、１枚ずつの分冊が形成される。
【００８３】
なお、コントローラー３４は、折り処理部１１により同時に三つ折り可能な上限枚数に到達すると、自動的にその枚数の分冊を形成する。原稿ページ数が５であり、上限枚数が３である場合、その原稿が２部印刷されると、図８に示すように分冊が形成されていく。このとき、コントローラー３４は、複数部数を印刷する場合、上述の上限枚数ごとに分冊していくとともに、各部の終わりごとに分冊していく。このため、図８に示すように１部目の第２分冊は、２ページ（２枚）のみしか有さない。
【００８４】
また、実施の形態２では、分冊枚数の設定が存在し、当該分冊枚数が上述の上限枚数より多い場合、コントローラー３４は、上述の上限枚数ごとに分冊していくとともに、その分冊内の印刷用紙の枚数の終了ごとにも分冊していく。例えば、原稿ページ数が８であり、上述の上限枚数が３である場合に、分冊枚数が４に設定されると、図９に示すように、第１分冊は３ページ（３枚）を有し、第２ページは、分冊枚数の残りの１ページ（１枚）を有し、第３分冊は３ページ（３枚）を有し、第４ページは、分冊枚数の残りの１ページ（１枚）を有する。
【００８５】
また、実施の形態２では、コントローラー３４は、印刷用紙の種別とその種別に対応する折り処理部１１の上限枚数との対応関係を示すテーブルを有しており、印刷用紙の種別に応じて、折り処理部１１の上限枚数を変更する。印刷用紙の種別は、印刷設定情報に基づいて特定される。
【００８６】
さらに、実施の形態２では、コントローラー３４は、分冊内の先頭の印刷用紙から最後の印刷用紙まで、順番に各印刷用紙の種別を特定していき、分冊内の先頭から各時点までのそれぞれの印刷用紙の種別に対応する上限枚数のうちの最も少ない値を、折り処理部の上限枚数にセットしていく。なお、その最も少ない値を折り処理部の上限枚数にセットしたときに、分冊内の印刷枚数が既にその最も少ない値以上である場合には、ただちに分冊を形成する。
【００８７】
例えば、原稿ページ数が１５であり、第１ページから第６ページまでの印刷用紙の種別に対応する上限枚数が５で、第７ページから第１０ページまでの印刷用紙の種別に対応する上限枚数が３で、第１１ページから第１５ページまでの印刷用紙の種別に対応する上限枚数が５である場合、第１ページ（第１枚）から第５ページ（第５枚）で第１分冊が形成され、第６ページ（第６枚）から第８ページ（第８枚）で第２分冊が形成され、第９ページ（第９枚）から第１１ページ（第１１枚）で第３分冊が形成され、第１２ページ（第１２枚）から第１５ページ（第１５枚）で第４分冊が形成される。
【００８８】
以上のように、上記実施の形態２によれば、適切な分冊パターンで分冊が形成される。
【００８９】
実施の形態３．
【００９０】
本発明の実施の形態３に係る画像形成装置は、三つ折り機能についての印字面設定に応じてページの印刷順番を変更する。なお、実施の形態３に係る画像形成装置の基本的な構成および動作は実施の形態１または実施の形態２の場合と同様である。
【００９１】
図１０は、実施の形態３において、印刷面設定が「内側」である場合の、ページ画像の印刷順番を説明する図である。図１１は、実施の形態３において、印刷面設定が「外側」である場合の、ページ画像の印刷順番を説明する図である。
【００９２】
印刷面設定が「内側」である場合、コントローラー３４は、図１０に示すように、原稿内のページ順序どおりの順番で印刷を実行させる。図１０では、第１分冊について、第１ページ、第２ページ、第３ページの順番で印刷され、折り処理部１１においてスタックされていく。
【００９３】
一方、印刷面設定が「外側」である場合、コントローラー３４は、図１１に示すように、原稿内のページ順序とは異なる順番でページ画像を印刷させていく。
【００９４】
このとき、コントローラー３４は、上述の分冊枚数、上述の上限枚数などから各分冊の最初に印刷すべきページ（つまり、分冊内の最終ページ）を特定し、そのページから、原稿内のページ順序の逆順に、ページ画像を印刷させていく。
【００９５】
図１１（Ａ）に示す片面印刷の場合、第１分冊について、第３ページ、第２ページ、第１ページの順番で印刷され、折り処理部１１においてスタックされていく。
【００９６】
図１１（Ｂ）に示す両面印刷の場合、第１分冊について、第５ページと第６ページ、第３ページと第４ページ、第１ページと第２ページの順番で印刷され、折り処理部１１においてスタックされていく。
【００９７】
以上のように、上記実施の形態３によれば、印刷面設定が「外側」である場合には、原稿内のページ画像の印刷順序を変更して、各分冊の折り後の順序を原稿のページ順序に一致させる。
【００９８】
なお、上述の各実施の形態は、本発明の好適な例であるが、本発明は、これらに限定されるものではなく、本発明の要旨を逸脱しない範囲において、種々の変形、変更が可能である。
【産業上の利用可能性】
【００９９】
本発明は、例えば、仕上げとして三つ折りが可能な画像形成装置に適用可能である。
【符号の説明】
【０１００】
１１  折り処理部
２５ａ  プログラム（画像形成プログラムの一例）
２６  演算処理装置（コンピューターの一例）
３３  画像処理部
３４  コントローラー
【図１】
0005449210.tif 000002
【図２】
0005449210.tif 000003
【図３】
0005449210.tif 000004
【図４】
0005449210.tif 000005
【図５】
0005449210.tif 000006
【図６】
0005449210.tif 000007
【図７】
0005449210.tif 000008
【図８】
0005449210.tif 000009
【図９】
0005449210.tif 000010
【図１０】
0005449210.tif 000011
【図１１】
0005449210.tif 000012